(57)【要約】【課題】  チューナー装置のカバー部材の強度を十分に確保する。【解決手段】  チューナーユニットをケース内に収納してなるチューナー装置１である。カバー部材９の面に端子取り出し用孔４が形成され、この端子取り出し用孔４から外部接続用コネクタ５の端子ピン６が外部に臨んでいる。端子取り出し用孔４は、複数の孔４ａ，４ｂに分割して形成され、各孔４ａ，４ｂの間のカバー部材９には、絞り７が形成されている。よって、ケースのカバー部材９の面に端子取り出し用孔４を設けた場合にも、カバー部材９の面の強度を十分に確保することが可能で、変形等が生ずることのないチューナー装置を提供することが可能である。【選択図】  図１
2005065037.tif 000002
【特許請求の範囲】
【請求項１】
端子ピンを搭載した回路基板と、前記回路基板を保持固定するハウジングと、前記ハウジングと係合するカバー部材を有するチューナー装置において、
カバー部材面に端子取り出し用孔が形成され、前記端子取り出し用孔から外部接続用コネクタの端子ピンが外部に臨んでおり、
上記端子取り出し用孔は複数の孔に分割して形成され、各孔の間のカバー部材に絞りが付されていることを特徴とするチューナー装置。
【請求項２】
上記絞りは、各孔の周囲を囲むように形成されていることを特徴とする請求項１記載のチューナー装置。
【請求項３】
上記絞りは、線状の絞りが連続的に形成されて各孔の周囲を囲むように形成されていることを特徴とする請求項１又は２記載のチューナー装置。
【発明の詳細な説明】
【技術分野】
【０００１】
本発明は、例えば基板にコネクタを介して装着されるチューナー装置に関するものである。
【背景技術】
【０００２】
例えば、カーナビゲーション装置は、ドライバーが周辺情報や道路状況等を把握しながら走行できるため、運転中のドライバーの負担を軽減するものとして急速に普及している。また、カーナビゲーション装置では、多機能化が進められており、カーラジオやＴＶ受像機としての機能を付加するために、チューナー装置が追加されたものも知られている。この場合、車内空間が限られているために、省スペース化のため、ラジオやＴＶ等のチューナー装置をカーナビゲーション装置の基板にコネクタを介して装着することが行われている（例えば、特許文献１等を参照）。
【０００３】
この場合、チューナーユニットを内蔵したチューナー装置は、通常、ケースの側面から端子を取り出して基板等に装着されるが、例えば基板に対する装着状態を安定化すること等を目的に、ケースのカバー面に端子取り出し用孔を形成し、この端子取り出し用孔から外部接続用コネクタの端子ピンが外部に臨むようにする場合がある。図５は、ケース１０１のカバー面１０１ａに端子取り出し用孔１０２を設け、この端子取り出し用孔１０２に対応して外部接続用コネクタ１０３を配置したチューナー装置の一例を示すものである。
【特許文献１】特開２００２−２７１０５４号公報
【発明の開示】
【発明が解決しようとする課題】
【０００４】
ところで、図５に示すようにケース１０１のカバー面１０１ａに端子取り出し用孔１０２を設けた場合、ケース１０１の強度低下に繋がり、ケース１０１が変形する等の不都合が生ずる虞れがある。特に、チューナー装置における外部接続用コネクタ１０３は、多数の端子ピン１０４が配列されるため、ケース１０１の長手方向の全長に近い長さを有し、これに対応して細長い端子取り出し用孔１０２をケース１０１の長手方向のほぼ全長に亘って形成する必要がある。このような端子取り出し用孔１０２の形成は、ケース１０１の強度を大きく低下する原因となる。
【０００５】
本発明は、このような従来の実情に鑑みて提案されたものであり、ケースの最も広い面に端子取り出し用孔を設けた場合にも、ケースの強度を十分に確保することが可能で、変形等が生ずることのないチューナー装置を提供することを目的とする。
【課題を解決するための手段】
【０００６】
上述の目的を達成するために、本発明のチューナー装置は、端子ピンを搭載した回路基板と、前記回路基板を保持固定するハウジングと、前記ハウジングと係合するカバー部材を有するチューナー装置において、カバー部材面に端子取り出し用孔が形成され、前記端子取り出し用孔から外部接続用コネクタの端子ピンが外部に臨んでおり、上記端子取り出し用孔は複数の孔に分割して形成され、各孔の間のカバー部材に絞りが付されていることを特徴とするチューナー装置。
【０００７】
端子取り出し用孔を複数の孔に分割して形成し、各孔の間のカバー部材に絞りを形成することで、カバー部材の強度が十分に確保され、変形が防止される。また、分割された孔の長さの総和を外部接続用コネクタの長さに対応した長さとすれば、長さの長い外部
接続用コネクタにも十分対応可能である。
【発明の効果】
【０００８】
以上の説明からも明らかなように、本発明のチューナー装置によれば、ケースのカバー部材の面に端子取り出し用孔を設けた場合にも、カバー部材の面の強度を十分に確保することが可能で、変形等が生ずることのないチューナー装置を提供することが可能である。
【発明を実施するための最良の形態】
【０００９】
以下、本発明を適用したチューナー装置について、図面を参照しながら詳細に説明する。
【００１０】
図１に示すように、本実施形態のチューナー装置１は、チューナー回路を備えた基板（図示は省略する。）と、この基板を収納し保持するハウジング８と、前記ハウジングと係合しチューナー回路をシールドするカバー部材９と、アンテナからの信号が入力されるアンテナ端子３とを備えるものであり、いわゆる伏せ型のチューナー装置である。
【００１１】
このチューナー装置１では、例えばハウジング８の面に孔が設けられて外部接続用コネクタの端子ピンが外部に臨む構造とされるものがあるが、本実施形態のチューナー装置１では、機器側の基板に対する装着状態を安定化及びチューナー装置を小型化すること等を目的に、カバー部材９の面に取り出し用孔４が形成され、この端子取り出し用孔４から外部接続用コネクタ５の端子ピン６が外部に臨んでいる。
【００１２】
この場合、外部接続用コネクタ５の長さに対応して長さの長い端子取り出し用孔４を形成すると、カバー部材９の機械的強度を損なうことになり、カバー部材９に変形等が生じ易くなる。そこで、本実施形態では、端子取り出し用孔４を２つの孔４ａ，４ｂに２分割して形成し、個々の孔４ａ，４ｂの長さが短くなるようにしている。個々の孔４ａ，４ｂの長さを短くすることで、カバー部材９の強度低下を抑えることができる。
【００１３】
さらに、本実施形態では、孔４ａ，４ｂの間の領域において、カバー部材９に絞り加工を施すことにより、より一層、強度を確保するようにしている。絞り加工は、金属面に対して施す凹凸加工であり、例えば金属面を線状に打ち出すことにより、平坦面の場合に比べて強度を著しく増大することができる。
【００１４】
カバー部材９には、通常、その強度を増すために、外周囲に絞り加工が施されている。本例のチューナー装置１においても、カバー部材９の最も広い面の外周囲に沿って線状の絞り７が形成されている。本実施形態では、この線状の絞り７を、孔４ａと孔４ｂの間の領域に張り出すように形成し、孔４ａと孔４ｂの間のカバー部材９の強度を向上するようにしている。
【００１５】
以上のような構成を有するチューナー装置によれば、端子取り出し用孔４を２つの孔４ａ，４ｂに２分割するとともに、各孔４ａ，４ｂの間のカバー部材９に絞り７を形成しているので、カバー部材９の強度を十分に確保することができ、カバー部材９の変形を防止することができる。また、分割された孔４ａ，４ｂの長さの総和を外部接続用コネクタ５の長さに対応した長さとしているので、長さの長い外部接続用コネクタ５にも十分対応可能である。
【００１６】
ところで、本発明は、上記の実施形態のものに限れられるものではなく、種々の変形が可能である。以下、この変形例について説明する。
【００１７】
図２は、先の実施形態と同様、端子取り出し用孔４を２つの孔４ａ，４ｂに２分割したものである。本例では、絞り１１が２つの孔４ａ，４ｂの間を横切るようにのみ形成されている。また、この絞り１１は、細い線状の絞りではなく、ある程度の幅を持った絞りとされている。このような絞り１１の形成によっても、カバー部材９の強度を十分に確保することができ、カバー部材９の変形を防止することができる。
【００１８】
図３の例では、端子取り出し用孔４が３つの孔４ａ，４ｂ，４ｃに分割されている。そして、各孔４ａ，４ｂ，４ｃをそれぞれ取り囲むように、線状の絞り１２ａ，１２ｂ，１２ｃが長方形状に形成されている。これら３つの孔４ａ，４ｂ，４ｃへの分割、及び各孔４ａ，４ｂ，４ｃを取り囲む長方形状の絞り１２ａ，１２ｂ，１２ｃによっても、カバー部材９の強度を十分に確保することができ、カバー部材９の変形を防止することができる。
【００１９】
図４の例では、端子取り出し用孔４が３つの孔４ａ，４ｂ，４ｃに分割されるとともに、各孔４ａ，４ｂ，４ｃを取り囲むように、線状の絞り１３がいわゆる一筆書きの形状で形成されている。このような絞り１３の形成によっても、カバー部材９の強度を十分に確保することができ、カバー部材９の変形を防止することができる。
【図面の簡単な説明】
【００２０】
【図１】本発明を適用したチューナー装置の一例を示す概略平面図である。
【図２】本発明を適用したチューナー装置の他の例を示す概略平面図である。
【図３】本発明を適用したチューナー装置のさらに他の例を示す概略平面図である。
【図４】本発明を適用したチューナー装置のさらに他の例を示す概略平面図である。
【図５】従来のチューナー装置の一例を示す概略平面図である。
【符号の説明】
【００２１】
１              チューナー装置  
２              上カバー
３              アンテナ端子
４              端子取り出し用孔
５              外部接続用コネクタ
６              端子ピン
７              絞り
８              ハウジング
９              下カバー
１１，１２ａ    絞り
１２ｂ，１２ｃ  絞り
１３            絞り
【図１】
2005065037.tif 000003
【図２】
2005065037.tif 000004
【図３】
2005065037.tif 000005
【図４】
2005065037.tif 000006
【図５】
2005065037.tif 000007